(57)【要約】【課題】使用者がＴＰＯに合わせてクロス形状にも、それ以外の形状にも、簡単、迅速に変形できる、使い勝手の良い、ファッション性の高いクロス形装身具を提供する。【解決手段】十字に交差する装飾片３，４を備える。交差部から延びる上下又は左右の一対の装飾片３又は４を、交差部を中心に同一垂直面上で所定角度回動可能に形成する。上下及び左右に延びる各装飾片３，４の外側の端部に、止め具２の取付手段６を形成する。【選択図】      図１
2004283417.tif 000002
【特許請求の範囲】
【請求項１】
十字に交差する装飾片を備えるクロス形装身具であって、交差部から延びる上下又は左右の一対の装飾片が交差部を中心に同一垂直面上で所定角度回動可能に形成され、上下及び左右に延びる各装飾片の外側の端部に、止め具の取付手段が形成されていることを特徴とする変形自在のクロス形装身具。
【請求項２】
請求項１記載のクロス形装身具であって、止め具が鎖であり、取付手段が装飾片に形成された貫通孔であることを特徴とする変形自在のクロス形装身具。
【発明の詳細な説明】
【０００１】
【発明の属する技術分野】
本発明は、ネックレスやイヤリング等のクロス形装身具に関し、更に詳しくは使用者がＴＰＯ（ｔｉｍｅ    ｐｌａｃｅ    ｏｃｃａｓｉｏｎ）に合わせてクロス形状を変更できるよう形成した変形自在のクロス形装身具に関するものである。
【０００２】
【従来の技術】
従来、クロス形装身具は、流行や世代をこえて幅広く使用されている。しかし従来のクロス形装身具の場合は、通常、使用者がＴＰＯに合わせてクロス形状を簡単、迅速に変更することができなかった。
而して従来、形状の変化できる装身具としては、例えば本出願人の提案に係る特許文献１記載のものがある。この従来品は、複数の単位体で形成した装飾部と、この装飾部の止め具とからなり、上記の単位体同士を互いに回動自在に連結しているものである。
【０００３】
【特許文献１】
実公平７−２７８６１号公報
【０００４】
【発明が解決しようとする課題】
しかし特許文献１記載の従来品は、上記の通り、単位体同士を互いに回動自在に連結しているものであり、変形する装身具ではあっても、クロス形装身具とは別物であった。換言すると、この従来品は変形できるものの、クロス形状と、それ以外の形状に、簡単、迅速に単位体を形作ることができなかった。
【０００５】
本発明は、このような従来の実情に鑑み、提案されたものである。
従って本発明の技術的課題は、使用者がＴＰＯに合わせてクロス形状にも、それ以外の形状にも、簡単、迅速に変形できる、使い勝手の良い、ファッション性の高いクロス形装身具を提供することにある。
【０００６】
【課題を解決するための手段】
本発明は、上記の課題を解決するために、次のような技術的手段を採る。
即ち、本発明は、図１等に示されるように、十字に交差する装飾片３，４を備えるクロス形装身具であって、交差部から延びる上下又は左右の一対の装飾片３又は４が交差部を中心に同一垂直面上で所定角度回動可能に形成され、上下及び左右に延びる各装飾片３，４の外側の端部に、止め具２の取付手段６が形成されていることを特徴とする（請求項１）。
【０００７】
この場合、止め具２が鎖であり、取付手段６が装飾片３，４に形成された貫通孔であるのが好ましい（請求項２）。
【０００８】
なぜならこれによると、止め具２としての鎖を取付手段６としての貫通孔に通すだけで、止め具２と装飾片３，４とを止め付けでき、止め付け操作を簡単、迅速にできるからである。なお止め具２としては、鎖のほか、例えば本発明品がブローチやイヤリングに実現される場合はピンがある。又取付手段６としては、止め具２がピンの場合は、ピンを通すためのリング等がある。
【０００９】
【発明の実施の形態】
以下、本発明の好適な一実施形態を、図１〜図７に従って説明する。
【００１０】
この実施形態に係る本発明のクロス形装身具は、クロス形装飾部１と、このクロス形装飾部１の止め具２とからなり、この実施形態ではネックレスに構成されている。上記のクロス形装飾部１は、上下に延びる上下装飾片３と、左右に延びる左右装飾片４とが十字に交差して形成されている。
【００１１】
上下装飾片３は、この実施形態では上下に直線的に延びる一本の板状片で形成されている。この上下装飾片３は、上下方向の中央位置よりも少し上側位置に、左右装飾片４が挿入される貫通孔部５と、上下の外側の端部に止め具２を挿入するための、取付手段６としての貫通孔とを備えている。
【００１２】
左右装飾片４は、左右一対の板状の短い装飾片４ａ、４ｂからなっている。又この左右装飾片４は、各装飾片４ａ、４ｂの内側の端部が上下装飾片３の貫通孔部５に挿入され、上下装飾片３の貫通孔部５に固定されたピン７により上下方向に回動自在に軸支されている。又この左右装飾片４は、上下装飾片３の貫通孔部５の下面に支持されて上下装飾片３と十字に交差した状態で水平に左右に延びて配置されると共に、貫通孔部５の外寄りの端部５ａ（図６等参照）の両側縁に接触する位置まで上方向に回動できるよう形成されている。
【００１３】
なお、左右装飾片４がピン７で軸支されている内側の端部は、図５に示されるように、各装飾片４ａ、４ｂが半分の厚さに形成されて重ね合わされている。各装飾片４ａ、４ｂは、外側の端部に止め具２を挿入するための貫通孔８を備えている。又９は、上下装飾片３と左右装飾片４の各端部及び交差部とに設けられている宝飾としての例えばダイヤモンドである。
【００１４】
次にこの実施形態に係る本発明品の作用を説明する。
先ず使用者は、着用時に、止め具２の連結状態を解除し、次に止め具２の開放端を、上下装飾片３の上端部に形成されている貫通孔６に挿通して開放端を連結する。この場合、上下装飾片３が止め具２で吊り下げられ、左右装飾片４は上下装飾片３の貫通孔部５の下面で支持されて水平に延び、十字に交差する形状の装飾片３，４を備えるクロス形装飾部１が形作られる。
【００１５】
本発明の場合、クロス形装飾部１と止め具２との止め付け状態は、例えば図６及び図７に示されるように、種々の形状に変形可能である。本発明は、使用者のセンスでＴＰＯに合わせて適宜デザインを変更して使用するものである。なお装飾片４ａ、４ｂがＹ形（図６参照）、逆Ｙ形（図７参照）に形作られるときは、各装飾片４ａ、４ｂは例えば貫通孔部５の外寄りの端部５ａの両側縁に係止される。
【００１６】
以上の処において、本発明の場合、上下装飾片３と左右装飾片４の形状については任意である。即ち、上下装飾片３と左右装飾片４は、例えば花弁状に形成されたり、又上例のような棒板状の場合でも図８に示されるように、左右装飾片４が多少曲げられて形成されているのでも良い。この場合は、図９及び図１０に示されるように、クロス形装飾部１と止め具２との止め付け状態を変更すると、左右の装飾片４が曲線状であることから、一風趣きのあるデザインになり、ファッション性が高まるものである。
【００１７】
又本発明の場合、左右装飾片４の回動支持部の構造は任意である。即ち本発明は、例えば図１１及び図１２に示されるように、装飾片４ａの内側の端部に形成した突出片１０を、装飾片４ｂの内側の端部に形成したスリット１１に挿入し、これらをピン７で回動自在に軸支するよう形成するのでも良い。
【００１８】
なお本発明は、材料費の節減のために、図１３に示されるように、上下装飾片３の下側に縦長状に貫通孔１２を形成しても良い。又本発明は、図１４に示されるように、上下装飾片３の上側及び下側部分を薄く形成するように構成しても良い。図１５及び図１６は、図１１のクロス形装身具において、クロス形装飾部１と止め具２との止め付け状態を変更し、デザインを変えたものである。
【００１９】
又本発明の場合、上例では左右装飾片４の一対の装飾片４ａ、４ｂを１本の共通のピン７で軸支しているが、図１７に示されるように、各装飾片４ａ、４ｂをそれぞれ別のピン７で軸支するのでも良い。
【００２０】
又本発明の場合、上例では左右装飾片４を別部材のピン７を使用して軸支しているが、これに限定されるものではない。即ち本発明は、例えば図１８〜図２５に示されるように、上下装飾片３や左右装飾片４に凸部や凹部を形成することにより構成することもできる。
【００２１】
図１８は、左右装飾片４の一対の装飾片４ａ、４ｂの端部がそれぞれ半分の厚さに形成されて、上下装飾片３の貫通孔部５に重なり合って配置され、上下装飾片３の貫通孔部５の両側面に形成された凸部１３が、左右装飾片４の一対の装飾片４ａ、４ｂの端部側面に形成された凹部１４に嵌合されている例である。図１９は、図１８とは逆に、凸部１３が装飾片４ａ、４ｂに形成され、凹部１４が上下装飾片３に形成された例である。又図２０は、装飾片４ａ、４ｂのうちの左の装飾片４ｂに形成された突出片１０が右の装飾片４ａに形成されたスリット１１に挿入して上下装飾片３の貫通孔部５に配置され、右の装飾片４ａの端部の両側面に形成された凸部１３が、上下装飾片３の貫通孔部５の両側面に形成された凹部１４に嵌合され、且つ左の装飾片４ｂの突出片１０の側面に形成された凸部１３が、右の装飾片４ａのスリット１１の内側面に形成された凹部１４に嵌合されている例である。又図２１は、一対の装飾片４ａ、４ｂの端部が上下装飾片３の貫通孔部５に重なり合って配置され、上下装飾片３の貫通孔部５の両側面に形成されている凸部１３が、一対の装飾片４ａ、４ｂの端部側面に形成されている凹部１４に嵌合されている例である。又図２２は、図２１の例において、更に、左の装飾片４ｂの先端部と右の装飾片４ａとが凸部１５と、これを案内する円弧状の凹溝部１６で係合している例である。この場合は、凸部１５と凹溝部１６とが係合しているため、装飾片４ａ、４ｂがガタを生じることなく回動する。又図２３は、一対の装飾片４ａ、４ｂの端部が上下装飾片３の貫通孔部５で向かい合わされ、上下装飾片３の貫通孔部５の両側面にそれぞれ形成されている各一対の凸部１３が、一対の装飾片４ａ、４ｂの端部両側面に形成されている凹部１４にそれぞれ嵌合されている例である。又図２４は、一対の装飾片４ａ、４ｂの端部がそれぞれ薄い厚さに形成されて、上下装飾片３の貫通孔部５に重なり合って配置され、上下装飾片３の貫通孔部５の両側面に形成された凸部１３が、一対の装飾片４ａ、４ｂの側面に形成された凹部１４に嵌合され、装飾片４ｂの先端部の凸部１５と、装飾片４ａに形成された案内用の円弧状凹溝部１６とが係合している例である。又図２５は、図２４の例において、更に、右の装飾片４ａの端面が左の装飾片４ｂと段部１７で係合している例である。
【００２２】
図２６〜図３０は、本発明の更に他の実施形態である。
この実施形態に係る本発明のクロス形装身具も、クロス形装飾部１と、このクロス形装飾部１の止め具２とからなり、この実施形態ではネックレスに構成されている。上記のクロス形装飾部１は、上下に延びる上下装飾片３と、左右に延びる左右装飾片４とが十字に交差して形成されている。
【００２３】
この実施形態に係る左右装飾片４は、水平な一本の棒部材１８が左右に延び、この棒部材１８が中央に配置される中空の円板１９を半径方向に貫通し、棒部材１８の両端部に円板２０が固定され、両端部の円板２０に止め具２を挿入するための貫通孔２１が形成されている。
【００２４】
上下装飾片３は、上下に延びる上下一対の装飾片３ａ、３ｂからなっている。この一対の装飾片３ａ、３ｂはそれぞれ一本の棒部材２２と、この棒部材２２の外側の端部に固定された円板２３とから構成されている。そして上側の装飾片３ａは、棒部材２２が、左右装飾片４の中央の円板１９の上側周面に形成されたスリット２４に通され、棒部材２２の下端部に形成されている径大部２２ａにより、中央の円板１９に抜け止めされている。即ち上側の装飾片３ａは、中央の円板１９のスリット２４に沿って左右に所定角度回動自在に構成されているものである。そして上側の装飾片３ａの円板２３には、止め具２を挿入するための貫通孔２５が形成されている。又この本発明では、下側の装飾片３ｂも、上側の装飾片３ａと同様に形成されており、中央の円板１９の下側周面に形成されたスリット２４に沿って左右に所定角度回動自在に構成され、下側の円板２３には止め具２を挿入するための貫通孔２５が形成されている。
【００２５】
次にこの実施形態の作用を説明する。
先ず使用者は、装着時に、止め具２としての鎖の連結状態を解除し、次に止め具２の開放端を、上下装飾片３の上側の装飾片３ａの円板２３に形成されている貫通孔２５に挿通して開放端を連結する。この場合、上下装飾片３の上側の装飾片３ａは止め具２で吊り下げられ、下側の装飾片３ｂは中央の円板１９から自重で垂れ下がる。又左右装飾片４は、円板１９で支持されて水平に延び、これにより十字に交差する装飾片３，４を備えるクロス形装飾部１が形作られる。
【００２６】
以上の処において、本発明の場合も、クロス形装飾部１と止め具２との止め付け状態は、例えば図２９及び図３０に示されるように、種々のデザイン形状に変更可能であり、使用者のセンスでＴＰＯに合わせて変形使用するものである。
【００２７】
【発明の効果】
以上説明したように本発明の変形自在のクロス形装身具は、交差部から延びる上下又は左右の一対の装飾片を、交差部を中心に同一垂直面上で所定角度回動可能に形成し、上下及び左右に延びる各装飾片の外側の端部に、止め具の取付手段を形成しているものである。
従って本発明品の場合は、使用者がＴＰＯに合わせてクロス形状にも、それ以外の形状にも、簡単、迅速に変形できる。それ故これによれば、使い勝手が良くなり、ファッション性が向上する。
【図面の簡単な説明】
【図１】本発明装身具の好適な一実施形態を示す一部を切欠した正面図である。
【図２】同上装身具の背面図である。
【図３】同上装身具の側面図である。
【図４】同上装身具の平面図である。
【図５】図１のＶ−Ｖ線における拡大断面図である。
【図６】変形例を示す一部を切欠した正面図である。
【図７】他の変形例を示す一部を切欠した正面図である。
【図８】本発明の他の実施形態を示す一部を切欠した正面図である。
【図９】図８に係る本発明品の変形例を示す一部を切欠した正面図である。
【図１０】図８に係る本発明品の他の変形例を示す一部を切欠した正面図である。
【図１１】本発明の更に他の実施形態を示す一部を切欠した正面図である。
【図１２】図１１のＸＩＩ−ＸＩＩ線における拡大断面図である。
【図１３】材料節減例の本発明品の側面図である。
【図１４】材料節減例の他の例を示す側面図である。
【図１５】変形例を示す一部を切欠した正面図である。
【図１６】他の変形例を示す一部を切欠した正面図である。
【図１７】左右装飾片の回動支持部の他の例を示す要部正面図である。
【図１８】左右装飾片の回動支持部の更に他の例を示す要部断面図である。
【図１９】左右装飾片の回動支持部の更に他の例を示す要部断面図である。
【図２０】左右装飾片の回動支持部の更に他の例を示す要部断面図である。
【図２１】左右装飾片の回動支持部の更に他の例を示す要部断面図である。
【図２２】左右装飾片の回動支持部の更に他の例を示す要部断面図である。
【図２３】左右装飾片の回動支持部の更に他の例を示す要部断面図である。
【図２４】左右装飾片の回動支持部の更に他の例を示す要部断面図である。
【図２５】左右装飾片の回動支持部の更に他の例を示す要部断面図である。
【図２６】本発明の更に他の実施形態を示す一部を切欠した正面図である。
【図２７】図２６のＸＸＶＩＩ−ＸＸＶＩＩ線における拡大断面図である。
【図２８】図２６のＸＸＶＩＩＩ−ＸＸＶＩＩＩ線における拡大断面図である。
【図２９】図２６の本発明品の変形例を示す一部を切欠した正面図である。
【図３０】図２６の本発明品の他の変形例を示す一部を切欠した正面図である。
【符号の説明】
１    クロス形装飾部
２    止め具
３    上下装飾片
４    左右装飾片
６    取付手段
【図１】
2004283417.tif 000003
【図２】
2004283417.tif 000004
【図３】
2004283417.tif 000005
【図４】
2004283417.tif 000006
【図５】
2004283417.tif 000007
【図６】
2004283417.tif 000008
【図７】
2004283417.tif 000009
【図８】
2004283417.tif 000010
【図９】
2004283417.tif 000011
【図１０】
2004283417.tif 000012
【図１１】
2004283417.tif 000013
【図１２】
2004283417.tif 000014
【図１３】
2004283417.tif 000015
【図１４】
2004283417.tif 000016
【図１５】
2004283417.tif 000017
【図１６】
2004283417.tif 000018
【図１７】
2004283417.tif 000019
【図１８】
2004283417.tif 000020
【図１９】
2004283417.tif 000021
【図２０】
2004283417.tif 000022
【図２１】
2004283417.tif 000023
【図２２】
2004283417.tif 000024
【図２３】
2004283417.tif 000025
【図２４】
2004283417.tif 000026
【図２５】
2004283417.tif 000027
【図２６】
2004283417.tif 000028
【図２７】
2004283417.tif 000029
【図２８】
2004283417.tif 000030
【図２９】
2004283417.tif 000031
【図３０】
2004283417.tif 000032